(57)【要約】【課題】  住宅建物における室内環境の断熱性能の違いをわかり易く説明することができ、かつ、印象づけることができる断熱性能比較体験装置を提供する。【解決手段】  快適温度に空調された空調室２と、冬季の温度に冷却された冷却室３とが隣接して設けられ、空調室２は、最新の断熱構造による断熱室部２ａと、在来の断熱構造による通常室部２ｂとからなり、その内部には、断熱室部２ａと通常室部２ｂとの各部の温度分布を映すサーモカメラ４と、そのモニター画面４１とが設けられ、冷却室３１で寒さを感じる程度に体を冷やした後、出入り口３５から空調室２へと移動し、断熱室部２ａと通常室部２ｂとの違いを体感すると同時にこれら断熱性能の違いをサーモカメラ４による映像のモニター画面４１で視認することができるようになされた断熱性能比較体験装置１である。【選択図】  図１
2005208114.tif 000002
【特許請求の範囲】
【請求項１】
快適温度に空調された空調室と、冬季の温度に冷却された冷却室とが外壁を介して隣接して設けられ、
空調室は、最新の断熱構造による断熱室部と、在来の断熱構造による通常室部とからなり、その内部には、断熱室部と通常室部との各部の温度分布を映すことが可能となされたサーモカメラと、このサーモカメラによる映像のモニター画面とが設けられ、
空調室と冷却室とを仕切る外壁には、双方間を出入りする出入り口が設けられ、
冷却室で寒さを感じる程度に体を冷やした後、出入り口から空調室へと移動し、断熱室部と通常室部との違いを体感すると同時にこれら断熱性能の違いをサーモカメラによる映像のモニター画面で視認することができるようになされたことを特徴とする断熱性能比較体験装置。
【請求項２】
空調室は、断熱室部の外壁が断熱外壁構造となされ、通常室部の外壁が在来工法の外壁となされた請求項１記載の断熱性能比較体験装置。
【請求項３】
空調室の床下が冷却室と連通し、冷却室の冷気が流れ込んで冬季の温度に冷却されるようになされ、断熱室部の床は断熱床構造となされ、通常室部の床は在来工法の床構造となされた請求項１または２記載の断熱性能比較体験装置。
【請求項４】
空調室は、一部の外壁の断熱室部にペアガラスの断熱窓サッシが設けられ、外壁の通常室部に単板ガラスの通常窓サッシが設けられてなる請求項１ないし３の何れか一記載の断熱性能比較体験装置。
【発明の詳細な説明】
【技術分野】
【０００１】
本発明は、住宅建物における室内環境の断熱性をわかり易く説明するための比較体験装置に関するものである。
【背景技術】
【０００２】
従来より、住宅建物においては、外壁、床、窓サッシなどに優れた断熱構造が採用されている。
【０００３】
これらの断熱構造は、住宅建物のカタログに紹介したり、展示住宅に訪れた購入予定者に、口頭で説明したりしていた。そして、この説明によって、断熱構造の優れた性能を理解してもらっていた。
【０００４】
しかし、断熱構造といっても、住宅建物の外観上は外壁、床、窓サッシの何れを取って見ても略同じであるため、その性能の差異を実感することができない。
【０００５】
そこで、従来より、窓ガラスの品種による性能の差を容易に把握でき、その違いを印象づけることができる断熱性能比較体験装置として、冷却室とそれに隣接する空調室とを具備し、その冷却室と空調室との境界壁面に、２種以上の窓ガラスを配設し、冷却室を冷却するとともに、空調室の温度および湿度を一定の状態に保つことにより、各窓ガラスの断熱性能の違いをガラス表面の結露状態の差、ガラス表面の温度差、冷輻射の差などによって体感できるようになされたものが提案されている。
【特許文献１】特開平１１−３２７４３２号公報
【発明の開示】
【発明が解決しようとする課題】
【０００６】
しかし、上記従来の断熱性能比較体験装置の場合、夏季の真夏日などにおいては、窓ガラス表面の冷輻射を心地よく感じることとなるので、断熱性能の違いを切実に伝えることができない。したがって、せっかく体感してもらっても断熱性能の違いを印象付けることができないといった不都合を生じることとなる。
【０００７】
また、窓ガラスのみの断熱性能を比較してもそれが住宅建物全体の断熱性能にどのように反映されるかが説明し難く、かつ、容易に理解してもらうことができないといった不都合を生じることとなる。
【０００８】
本発明は、係る実情に鑑みてなされたものであって、住宅建物における室内環境の断熱性能の違いをわかり易く説明することができ、かつ、印象づけることができる断熱性能比較体験装置を提供することを目的としている。
【課題を解決するための手段】
【０００９】
上記課題を解決するための本発明の断熱性能比較体験装置は、快適温度に空調された空調室と、冬季の温度に冷却された冷却室とが外壁を介して隣接して設けられ、空調室は、最新の断熱構造による断熱室部と、在来の断熱構造による通常室部とからなり、その内部には、断熱室部と通常室部との各部の温度分布を映すことが可能となされたサーモカメラと、このサーモカメラによる映像のモニター画面とが設けられ、空調室と冷却室とを仕切る外壁には、双方間を出入りする出入り口が設けられ、冷却室で寒さを感じる程度に体を冷やした後、出入り口から空調室へと移動し、断熱室部と通常室部との違いを体感すると同時にこれら断熱性能の違いをサーモカメラによる映像のモニター画面で視認することができるようになされたものである。
【００１０】
上記空調室は、断熱室部の外壁が断熱外壁構造となされ、通常室部の外壁が在来工法の外壁となされたものである。
【００１１】
上記空調室の床下が冷却室と連通し、冷却室の冷気が流れ込んで冬季の温度に冷却されるようになされ、断熱室部の床は断熱床構造となされ、通常室部の床は在来工法の床構造となされたものである。
【００１２】
上記空調室は、一部の外壁の断熱室部にペアガラスの断熱窓サッシが設けられ、外壁の通常室部に単板ガラスの窓サッシが設けられてなるものである。
【発明の効果】
【００１３】
以上述べたように、本発明によれば、冷却室で寒さを感じる程度に体を冷やした後、出入り口から空調室へと移動し、断熱室部と通常室部との違いを体感することで、最新の断熱構造と在来の断熱構造との違いを、身をもって体験することができる。特に、冷却室で寒さを感じる程度に体を冷やしてから空調室での断熱効果を体感するので、在来断熱構造の通常室部で起こる冷輻射を心地よく感じることも無く、最新の断熱構造の良さを印象付けることができる。また、これら断熱性能の違いはサーモカメラによる映像のモニター画面で視認することができるので本来目に見えない熱を画面を通して視覚的に判り易く説明することができる。また、これら体感と視覚との相乗効果で断熱性能の比較体験を印象付けることができる。
【発明を実施するための最良の形態】
【００１４】
以下、本発明の実施の形態を図面を参照して説明する。
【００１５】
図１ないし図３は断熱性能比較体験装置１の全体構成の概略を示している。
【００１６】
すなわち、この断熱性能比較体験装置１は、断熱室部２ａと通常室部２ｂとからなる空調室２と、冷却室３とが隣接して設けられ、空調室２の天井２１の近傍には、サーモカメラ４とこのサーモカメラ４による映像のモニター画面４１とが設けられている。
【００１７】
空調室２は、幅約４ｍ、奥行き約５．８ｍ、高さ約２．５ｍに形成されている。この空調室２は、幅方向を２．５ｍと１．５ｍとに分割する位置で二分され、幅２．５ｍの大きい側の空間が断熱室部２ａとなされ、幅１．５ｍの小さい側の空間が通常室部２ｂとなされている。この空調室２は、断熱室部２ａの略中央部にエアコン５が設けられ空調室２全体を快適温度に空調することができるようになされている。
【００１８】
断熱室部２ａは全体が断熱構造で構成され、通常室部２ｂは全体が在来の断熱構造で構成されている。
【００１９】
すなわち、図４に示すように、断熱室部２ａの断熱床６ａは、鉄骨梁６１の上にＡＬＣ６２を設け、その上に下地板６３、フローリング材６４を敷設して構成されている。一方、通常室部２ｂの通常床６ｂは、鉄骨梁６１の上に木根太６５を架け渡し、その上に下地板６３、フローリング材６４を敷設して構成されている。
【００２０】
図５に示すように、断熱室部２ａの断熱外壁７ａは、躯体７１の屋外側から構造用合板７２を固定し、さらにその外側に通気層７３を介して外壁パネル７４を固定し、躯体７１の屋内側からは石膏ボード７５を固定し、構造用合板７２と石膏ボード７５との間隙に断熱材７６および通気スペーサ７７を設けて構成されている。一方、通常室２ｂの通常外壁７ｂは、躯体７１の屋外側から外壁パネル７４が固定され、躯体７１の屋内側からは石膏ボード７５を固定し、外壁パネル７４と石膏ボード７５との間隙に断熱材７６が設けられて構成されている。
【００２１】
図６に示すように、上記断熱外壁７ａと対向する位置にある断熱室２ａの第二断熱外壁７０ａには、遮熱断熱ペアガラス８１が嵌め込まれた断熱窓サッシ８ａが設けられている。一方、上記通常外壁７ｂと対向する位置にある通常室２ｂの第二通常外壁７０ｂには、単板ガラス８２がはめ込まれた通常窓サッシ８ｂが設けられている。
【００２２】
空調室２は、上記断熱外壁７ａおよび通常外壁７ｂと、第二断熱外壁７０ａおよび第二通常外壁７０ｂとが設けられた壁面以外の壁面に、空調室２から外部に見学者が出入りするための出入り口２０が設けられている。
【００２３】
冷却室３は、断熱外壁７ａおよび通常外壁７ｂに隣接した位置に設けられた第一冷却室３１と、第二断熱外壁７０ａおよび第二通常外壁７０ｂに隣接した位置に設けられた第二冷却室３２とからなる。第一冷却室３１は、幅約４ｍ、奥行き約２．５ｍ、高さ約２．５ｍに形成されている。第二冷却室３２は、幅約４ｍ、奥行き約０．６ｍ、高さ約３．０ｍに形成されている。これら第一冷却室３１および第二冷却室３２には、季節に関係なく、それぞれを冬季の温度に冷却するための冷蔵装置３３が設けられている。
【００２４】
第一冷却室３１には、外部から第一冷却室３１へと見学者が出入りするための出入り口３４と、この第一冷却室３１から空調室２へと出入りするための出入り口３５とが設けられている。これら出入り口３４、３５の天井部分には、冷却室３の冷気ができるだけ漏れ出ないようにするためのエアカーテン３６が設けられている。また、第一冷却室３１は、断熱外壁７ａおよび通常外壁７ｂに面した位置に凹設部３７が形成され、断熱外壁７ａおよび通常外壁７ｂの下に相当する凹設部３７内の部分には、換気ガラリ２２を有する基礎２３が形成されている。
【００２５】
一方、第二冷却室３２は、第一冷却室３１に比べて狭いので、断熱性能比較体験装置１全体の設備を設ける機械室を兼用するようになされている。また、第二冷却室３２は、第二断熱外壁７０ａおよび第二通常外壁７０ｂの下側に形成された換気ガラリ２２を有する基礎２３の部分まで到るように、全体の高さが高く形成されている。
【００２６】
第一冷却室３１と第二冷却室３２とは、基礎２３の換気ガラリ２２を介して空調室２の床下３０に連通するようになされている。これによって空調室２は、第一冷却室３１および第二冷却室３２に面する断熱外壁７ａ、通常外壁７ｂ、第二断熱外壁７０ａ、第二通常外壁７０ｂ、断熱窓サッシ８ａおよび通常窓サッシ８ｂと、床下３０に面する断熱床６ａおよび通常床６ｂとから、冬季の温度の影響を受けることができるようになされている。この床下３０には、床下換気扇３８が設けられている。
【００２７】
サーモカメラ４は、映した場所の温度分布を映像化することができるようになされている。このサーモカメラ４は、空調室２の天井２１において、断熱室部２ａと通常室部２ｂとの境界である奥行き方向に沿って平行移動できるように設けられている。すなわち、空調室２は、断熱室部２ａと通常室部２ｂとの境界に相当する天井２１部分に、長さ約４．５ｍのスリット２４が設けられている。空調室２の天井裏２５には、スリット２４に沿ってレール（図示省略）が設けられており、このレール（図示省略）に沿って移動装置（図示省略）が往復動可能となされている。そして、この移動装置（図示省略）から延設されたシャフト４２がスリット２４から空調室２に突出するようになされており、このシャフト４２の下端部にサーモカメラ４は取り付けられている。このシャフト４２は、移動装置（図示省略）に設けられたロータリーアクチュエーター（図示省略）などによって軸回りに回動することができるようになされており、またこのシャフト４２の下端部に設けられたサーモカメラ４も、撮影角度を自由に変えることができるようになされている。したがって、サーモカメラ４は、スリット２４下を往復動することと、シャフト４２の回動と、サーモカメラ４の撮影角度の変化とによって、空調室２内のあらゆる場所を撮影することができるようになされている。
【００２８】
本実施の形態においてサーモカメラ４は、スリット２４の一端部において、断熱外壁７ａおよび通常外壁７ｂと、断熱床６ａおよび通常床６ｂとを同時に映すことができるように設定されている。この際の映像は、断熱外壁７ａと通常外壁７ｂとの境界部分の上部に設けられたモニター画面４１に映すようになされている。
【００２９】
また、スリット２４の他端部において、第二断熱外壁７０ａの断熱窓サッシ８ａおよび第二通常外壁７０ｂの通常窓サッシ８ｂと、断熱床６ａおよび通常床６ｂとを同時に映すことができるように設定されている。この際の映像は、第二断熱外壁７０ａと第二通常外壁７０ｂとの境界部分のの上部に設けられたモニター画面４１に映すようになされている。
【００３０】
このようにして構成される断熱性能比較体験装置１は、住宅展示棟内に設置される。
【００３１】
住宅展示棟に見学者が訪れた場合に、まず、出入り口３４から第一冷却室３１内に入ってもらい、この第一冷却室３１で断熱性能比較体験装置１についての説明を行う。第一冷却室３１は、冬季の温度に冷却されているので、説明をし終わった頃には、見学者の体を充分に冷やすことができる。
【００３２】
このように見学者の体を冷やして暖を求める状況になってから出入り口３５から空調室２に入ってもらう。
【００３３】
空調室２では、断熱床６ａと通常床６ｂとの上にそれぞれ立ってもらい、これら断熱床６ａおよび通常床６ｂからの冷輻射の違いを体感してもらう。この際、見学者は暖を求める状況になっているので冷輻射の多い通常床６ａよりも、冷輻射の少ない断熱床６ａの方が優れた断熱性能を発揮し、また、このような断熱床６ａが必要であるといったことを身を持って体験することができる。また、体が暖を求める状況になっているので、断熱床６ａと通常床６ｂのそれぞれの冷輻射の違いを容易に感じることができる。同様に、断熱外壁７ａおよび通常外壁７ｂについてもそれぞれの冷輻射の違いを体感してもらう。
【００３４】
また、あらかじめサーモカメラ４をスリット２４の一端部に設定しておき、このサーモメラ４の映像を、断熱外壁７ａと通常外壁７ｂとの境界部分の上部に設けられたモニター画面４１に映す。この映像からは、この空調室２で現在体感している断熱外壁７ａおよび通常外壁７ｂと、断熱床６ａおよび通常床６ｂとの温度分布が同時に映されることとなるので、それぞれの冷輻射の違いを、映像からも視認することができ、断熱床６ａおよび断熱外壁７ａの優位性を強烈にアピールすることができる。また、温度分布を視認できる形で見せることができるので、断熱床６ａおよび断熱外壁７ａが、通常床６ｂおよび通常外壁７ｂに比べて優れている点を、見学者に容易に説明することができるとともに、容易に理解してもらえることとなる。
【００３５】
ついで、第二断熱外壁７０ａおよび第二通常外壁７０ｂにそれぞれ設けられた断熱窓サッシ８ａおよび通常窓サッシ８ｂについても、それぞれの冷輻射の違いを体感してもらう。また、サーモカメラ４をスリット２４の他端部に移動させて、このサーモカメラ４の映像を、第二断熱外壁７０ａと第二通常外壁７０ｂとの境界部分の上部に設けられたモニター画面４１に映す。この映像からは、第二断熱外壁７０ａの断熱窓サッシ８ａおよび第二通常外壁７０ｂの通常窓サッシ８ｂと、断熱床６ａおよび通常床６ｂとの温度分布が同時に映されることとなるので、断熱窓サッシ８ａについても、冷輻射の違いを映像から視認することができる。
【００３６】
その後、見学者は、空調室２の出入り口２０から外部に退出してもらう。
【００３７】
なお、本実施の形態において、断熱性能比較体験装置１は、空調室２の二壁面と床面とが冷却されるようになされているが、一壁面だけであっても良いし、天井２１を含めた空調室２の全体が冷却されるようになされたものであってもよい。
【００３８】
また、本実施の形態において、断熱性能比較体験装置１は、冷却室３で冬季の温度に冷却するようになされているが、この冷却室３の代わりに、夏季の温度に暖房するようになされた暖房室を設けて断熱性能を比較するものであってもよい。
【産業上の利用可能性】
【００３９】
住宅建物の構造説明および販売促進を図る装置として利用できる。
【図面の簡単な説明】
【００４０】
【図１】本発明に係る断熱性能比較体験装置の全体構成の概略を示す斜視図である。
【図２】図１に示す断熱性能比較体験装置の全体構成の概略を示す水平断面図である。
【図３】図１に示す断熱性能比較体験装置の全体構成の概略を示す垂直断面図である。
【図４】（ａ）は断熱床の全体構成の概略を示す分解斜視図、（ｂ）は通常床の全体構成の概略を示す分解斜視図である。
【図５】（ａ）は断熱外壁の全体構成の概略を示す分解斜視図、（ｂ）は通常外壁の全体構成の概略を示す分解斜視図である。
【図６】（ａ）は断熱窓サッシの全体構成の概略を示す分解斜視図、（ｂ）は通常窓サッシの全体構成の概略を示す分解斜視図である。
【符号の説明】
【００４１】
１  断熱性能比較体験装置
２  空調室
２ａ  断熱室部
２ｂ  通常室部
３  冷却室
３０  床下
３１  第一冷却室
３２  第二冷却室
３５  出入り口
４  サーモカメラ
４１  モニター
５  エアコン
６ａ  断熱床
６ｂ  通常床
７ａ  断熱外壁
７ｂ  通常外壁
７０ａ  第二断熱外壁
７０ｂ  第二通常外壁
８ａ  断熱窓サッシ
８ｂ  通常窓サッシ
８１  ペアガラス
８１  単板ガラス
【図１】
2005208114.tif 000003
【図２】
2005208114.tif 000004
【図３】
2005208114.tif 000005
【図４】
2005208114.tif 000006
【図５】
2005208114.tif 000007
【図６】
2005208114.tif 000008